(57)【要約】      （修正有）【課題】左右の肥料供給装置を単一の接地輪による簡潔で廉価な構造によって安定的に駆動すると共に、ロータリ及び畝立器等の作業部との重量バランスを適正にとることができる施肥作業機を提供する。【解決手段】走行機体１の後方に圃場を耕耘するロータリ６と、ロータリ６に畝立器７を備える共に、畝成形部３２に各別に配置されて前記ロータリ６による耕耘前の圃場に肥料を散布する肥料タンク２及び肥料供給装置３を有する散布部４ａを備え、該散布部４ａの肥料供給装置３を圃場面に転接させる接地輪８から駆動して肥料散布をする施肥作業機であって、前記走行機体１の前部に横フレーム１４を設け、該横フレーム１４に左右の散布部４ａを振り分けて支持すると共に、互いの肥料供給装置３を接地輪８によって回転駆動される１本の繰出軸２２で連結することを特徴としている。【選択図】図２
2009240170.tif 000002
【特許請求の範囲】
【請求項１】
走行機体（１）に複数の耕耘爪を回転させて圃場を耕耘するロータリ（６）と、ロータリ（６）の後方に畝を形成する畝成形部（３２）を複数有する畝立器（７）を備える共に、畝成形部（３２）に各別に配置されて前記ロータリ（６）による耕耘前の圃場に肥料を散布する肥料タンク（２）及び肥料供給装置（３）を有する散布部（４ａ）を備え、該散布部（４ａ）の肥料供給装置（３）を圃場面に転接させる接地輪（８）から駆動して肥料散布をする施肥作業機において、前記走行機体（１）の前部に横フレーム（１４）を設け、該横フレーム（１４）に左右の散布部（４ａ）を振り分けて支持すると共に、互いの肥料供給装置（３）を接地輪（８）によって回転駆動される１本の繰出軸（２２）で連結することを特徴とする施肥作業機。
【請求項２】
横フレーム（１４）側に設けた接地輪ホルダ（４０）によって、接地輪（８）を接地姿勢から上方に持ち上げた非接地姿勢に切り換え自在に保持する請求項１記載の施肥作業機。
【発明の詳細な説明】
【技術分野】
【０００１】
この発明は、畝を成形しながら施肥作業を行う施肥作業機に関する。
【背景技術】
【０００２】
肥料を散布すると共に耕耘された圃場の耕耘土により畝を成形する施肥作業機は、特許文献１で示されるように本願出願人により既に提案されている。
上記特許文献１の施肥作業機は、走行機体の後方に複数の耕耘爪を回転させて圃場を耕耘するロータリと、ロータリの後方に畝を形成する畝成形部を複数有する畝立器を備えると共に、畝成形部の前方に各別に配置されて前記ロータリによる耕耘前の圃場に肥料を散布する肥料タンク及び肥料供給装置からなる散布部を備えている。そして、この散布部は肥料供給装置を、走行機体が有する左右の走行部の外側にそれぞれ設置した接地輪から格別に回転駆動して肥料を散布する構成にしている。
【特許文献１】特願２００７−３０６６４２号
【発明の開示】
【発明が解決しようとする課題】
【０００３】
上記特許文献１の施肥作業機は、走行部を有するトラクタ等の牽引車の後方にリンク機構を介して散布部とロータリと畝立器を装着するものに対し、全体の前後長をコンパクトに構成することができ、狭い圃場においても効率的な作業を行うことを可能にする利点がある。然しながら、この施肥作業機は接地輪を走行部の後側で左右に配置して転接させて肥料供給装置を駆動させるようにしているので、走行部の外側で広い轍距離を有して転接する接地輪が機体を旋回走行する際に大きな抵抗となって操縦性を損なう欠点があると共に、左右の接地輪はスリップを生じ易く左右の肥料散布に差異を伴うこと、また肥料供給装置の駆動構造が複雑化しコスト高になる等の欠点がある。
さらに、散布部と接地輪を走行機体の上方及び側方に設置する施肥作業機は、走行輪の後部に配置されるロータリ及び畝立器等の作業部との重量バランスを悪化させるので、後方からハンドルを持ち上げて行う旋回走行が行い難く、走行機体の前部に大型のバランスウェイトの設置を必要とするため機体の全体重量を増大させる等の問題がある。
【課題を解決するための手段】
【０００４】
上記課題を解決するための本発明の施肥作業機は、第１に、走行機体１に複数の耕耘爪を回転させて圃場を耕耘するロータリ６と、ロータリ６の後方に畝を形成する畝成形部３２を複数有する畝立器７を備える共に、畝成形部３２に各別に配置されて前記ロータリ６による耕耘前の圃場に肥料を散布する肥料タンク２及び肥料供給装置３を有する散布部４ａを備え、該散布部４ａの肥料供給装置３を圃場面に転接させる接地輪８から駆動して肥料散布をする施肥作業機において、前記走行機体１の前部に横フレーム１４を設け、該横フレーム１４に左右の散布部４ａを振り分けて支持すると共に、互いの肥料供給装置３を接地輪８によって回転駆動される１本の繰出軸２２で連結することを特徴としている。
【０００５】
第２に、横フレーム１４側に設けた接地輪ホルダ４０によって、接地輪８を接地姿勢から上方に持ち上げた非接地姿勢に切り換え自在に保持することを特徴としている。
【発明の効果】
【０００６】
以上のように構成される本発明の施肥作業機は次のような効果を奏することができる。
走行機体の前部に横フレームを設け、該横フレームに左右の散布部を振り分けて支持すると共に、互いの肥料供給装置を接地輪によって回転駆動される繰出軸で連結することにより、単一の接地輪によって左右の肥料供給装置を簡潔で廉価な構造によって安定的に駆動することができる。また走行機体の前後で散布部と接地輪等と、ロータリ及び畝立器等の作業部との重量バランスを適正にとることができるので、機体の軽量化と走行バランスを改善し機体の走行作業及び旋回走行を行い易くすることができる。また接地輪の接地部を一方の走行輪の接地部と近接させるので、ハンドルを持ち上げて行なう機体の旋回走行をスムーズに行うことができる。
【０００７】
接地輪を接地姿勢から上方に持ち上げた状態で、横フレーム側に設けた接地輪ホルダによって非接地姿勢に切り換え自在に保持することにより、非接地姿勢にした接地輪を簡単な構成によって横フレーム側に確実に保持することができ、路上走行をスムーズに行うことができる。
【発明を実施するための最良の形態】
【０００８】
図１，図２は本発明を適用した歩行型施肥作業機の側面図及び平面図である。本歩行型施肥作業機は、走行機体１（機体）と、左右一対の肥料タンク２と、各肥料タンク２の底部に設置された肥料供給装置３（肥料供給部）と、一端が肥料供給装置３に接続され他端から肥料を散布する施肥パイプ４等からなる散布部４ａと、圃場を耕耘する左右方向のロータリ６と、上記ロータリ６の後方に配置された畝立器７と、圃場面に接地して前後回転する接地輪８と、走行機体１から後方に延設されたハンドル９（操向操作部）等を備えている。
【０００９】
上記走行機体１は、主フレーム１１と、主フレーム１１の前部上面に載置固定されるエンジン１２と、主フレーム１１の前部下面側に設けられて主フレーム１１を支持する左右一対の走行輪１３（走行部）と、主フレーム１１の前端部から左右方向に一体的に突出形成される横フレーム１４と、横フレーム１４の左右の各端部から後方に延設されて肥料タンク２を支持する縦フレーム１６と、横フレーム１４の右側に取付支持されて接地輪８を支持する支持ブラケット１７等からなる。
【００１０】
左右の走行輪１３は、主フレーム１１の下方位置に回転自在に支持され且つエンジン１２の動力が伝動される左右方向の車軸１９によって駆動される。
上記各肥料タンク２は、上方が開放されるとともに上部開口端から底部に向かって収束する形状にされており、この底部には肥料供給装置３が設置されている。尚、本歩行型施肥作業機では、肥料として粒状のものを用いる。
【００１１】
上記各肥料供給装置３は、内部のローラ（図示しない）を回転駆動させることにより、肥料タンク２の排出口から排出される肥料を、肥料供給装置３の下面に形成される供給口に接続される施肥パイプ４から圃場に排出供給するように構成されている。即ち、上記のように構成される散布部４ａの単位時間当たりの肥料供給量は、肥料供給装置３のローラ回転速度に比例するようになっている。
また図示例の左右の散布部４ａは、各肥料供給装置３のローラを横方向の繰出軸（ローラ軸）２２で連結しており、この繰出軸２２の中途を後述するように接地輪８から回転させることにより各ローラを回転駆動するようにしている。
【００１２】
また肥料供給装置３の供給口には可撓性を有する施肥パイプ４を設けており、その先端部を前記横フレーム１４に設けた施肥ガイド２１によって施肥位置を調節自在に支持し、肥料を施肥パイプ４の散布口から圃場の適正位置に散布することができる。
即ち、施肥ガイド２１は基部を横フレーム１４に対し左右方向に移動調節自在なブラケット２３に設け、先端側に施肥パイプ４の支持位置を斜め前後方向に調節自在とする位置調節部２１ａを設けている。これにより施肥パイプ４はブラケット２３による左右方向の調節と位置調節部２１ａによる高さ方向の調節を自在とし、肥料を散布口から圃場の適正位置に対応し簡単に散布させることができる。
【００１３】
ロータリ６は、エンジン１２の動力が伝動されると共に、走行機体１の主フレーム１１の後部下方に前後回転自在に支持されるロータリ軸２４に軸装された複数の耕耘爪（図示しない）によって構成されている。即ち、ロータリ６はロータリフレーム２５を走行機体１の後部ヒッチ部１ａに着脱自在に取付支持され、エンジン１２の動力をロータリフレーム２５に固設されるロータリ用チェーンケース２６を介してロータリ軸２４に伝動している。また上記複数の耕耘爪は、前記左右の施肥パイプ４から散布される肥料軌跡に、耕耘土を盛るように構成されている。
【００１４】
畝立器７は図１で示すように、ロータリフレーム２５の後部に、中央の畝立器７と左右の畝立器７を前後方向の畝立開始間隔Ｈを有して、上下方向に調節自在に支持する支柱２７，２７ａを設けている。上記支柱２７はロータリフレーム２５の中央後部に一体的に形成される支柱ホルダ２８に挿入され、下端に中央の畝立器７を設けている。支柱２７ａはロータリフレーム２５の後部に着脱自在に取付固定されるツールバーホルダ２９ａが横向に支持するツールバー２９の両側に設けた支柱ホルダ２８ａ，２８ａに挿入され、下端に左右の畝立器７を設けている。
【００１５】
尚、支柱ホルダ２８ａ，２８ａはツールバー２９に対してボルト締着手段によって左右位置調節可能に挿通支持されている。また支柱２７は支柱ホルダ２８に、支柱２７ａは各支柱ホルダ２８ａ，２８ａにボルト締着手段によって上下位置調節可能に挿通支持されている。また支柱ホルダ２８は畝立作業をしない場合、支柱２７に代えて図示しない尾輪を有する支持軸を交換自在に挿入支持することができる。
【００１６】
上記支柱２７，２７ａはその下端部に左右一対の成形板３０，３０（成形体）を支持固定している。左右の成形板３０は、各別に取外し可能に構成され、後方に向かって互いが離間するように傾き且つ上方に向かって後方に突出するようにそれぞれ構成している。そして、支柱２７，２７ａとにより中央と左右の３体の畝立器７は、対をなす成形板３０，３０の前側に成形先端部３１を備えてロータリ６の後方に配置される。これにより畝立器７は互いが後方に向かって近づくように隣合う２枚の成形板３０，３０によって、左右の畝成形部３２を構成することができ、ロータリ６の後方で同時に２つの畝を成形することができる。
【００１７】
このとき畝成形部３２を構成するように隣接する成形板３０，３０は、ロータリ６によって盛られた耕耘土の左右の側部を押圧し、互いが近づくように左右方向に傾斜した斜面を形成し、走行に伴って描かれる肥料散布軌跡に沿う帯状の畝を形成する。また最外側の左右の成形板３０，３０は、畝立器７により成形される２つの畝の外側方に位置する畝の片側側部の斜面を成形する。
【００１８】
また上記中央の畝立器７と左右の畝立器７は畝立開始間隔Ｈを有して設けているので、ロータリ６によって耕耘された耕耘土中に先ず中央の畝立器７が先行して畝立作用を始め、次いで左右の畝立器７が同時に畝立作用を行うため、３体の畝立器７に同じ負荷を同時に掛けることなく畝立作業を行うことができる。また先行する中央の畝立器７が耕耘土中で畝立センター位置を定めた状態となり、次いで左右の畝立器７が左右均等状態で畝立作業をおこなうので、各畝立器７に加わる畝立負荷にばらつきが生じたとしても、畝立時の蛇行を抑制することができる等の特徴がある。
【００１９】
また左右の畝立器７は成形板３０，３０の間で、ツールバー２９にホルダ３３を介して左右移動自在に支持される接地尾輪３４を配設している。この接地尾輪３４はハンドル付きの上下調節杆３５を有し、該上下調節杆３５を支持杆３５ａを介しホルダ３３に前後調節可能に設けている。これにより接地尾輪３４は畝立器７によって形成される畝溝の底部に転接し、機体後部の自重を支持すると共に畝立器７の畝立深さ調節を行うことができ、また路上走行時に畝立器７を接地させることなく、接地尾輪３４を路面に転接させて走行することができる。
【００２０】
次に接地輪８について説明する。この接地輪８は図１，図２に示すように、右側の走行輪１３の外側前方寄りで側面視において走行輪１３と一部ラップさせて接地回転を行なうように配置している。そして、接地輪８は前記ローラ軸２２に図示しないスプロケットが嵌挿されて揺動回動自在に軸支されるチェーンケース３６の車軸３７に設けている。また接地輪８は平面視において走行輪１３によって踏み付けられて盛り上がる土を踏まない程度の位置に接近させて配置している。
【００２１】
これにより接地輪８の車軸３７は走行輪１３の車軸１９より機体前方に位置し、接地輪８の接地部は走行輪１３の接地部の近傍に位置させることができる。従って、接地輪８は大きな上下運動を抑制されて接地回転をし、前記車軸３７からチェーンケース３６内のチェーン伝動機構を介して、ローラ軸２２を回転させ肥料供給装置３を安定的に回転駆動させることができる。また接地輪８の接地部を走行輪１３の接地部と近接させているので、ハンドル９を持ち上げて機体を旋回走行させる際に、接地輪８が旋回時に大きな抵抗となることなく機体の旋回をスムーズにする等の特徴がある。
【００２２】
また上記チェーンケース３６は中途部を前記支持ブラケット１７の後端に吊り下げ状態で支持される支持ロッド３８の下端と接続している。そして、支持ロッド３８外周にはスプリング３９を外装してチェーンケース３６を下方揺動方向に付勢している。
また支持ブラケット１７の後端には、接地輪８を地面から離間させた状態に保持する接地輪ホルダ４０を設けている。図示例の接地輪ホルダ４０は帯板部材の基部を支持ブラケット１７に支持軸４１によって実線で示す非接地姿勢（格納姿勢）と点線で示す接地姿勢（保持姿勢）とに切り替え回動自在に設けると共に、先端部に非接地姿勢において接地輪８のリム部に係合して、該接地輪８を上方に保持するフック部４０ａを設けた構成にしている。
【００２３】
以上のように支持ロッド３８及び接地輪ホルダ４０を備えた施肥作業機は、圃場において施肥作業を行う際には接地輪ホルダ４０を前記接地姿勢にする。これにより接地輪８は支持ロッド３８及びスプリング３９を介し弾力的に下方側（圃場側）に付勢されて圃場面に接地するので、圃場における走行速度に比例した速度で接地輪８が前後回転作動する。そして、接地輪８の回転速度に対応した速度で肥料供給装置３が駆動され、走行速度に対応した量の肥料を施肥パイプ４から圃場に散布することができる。
またチェーンケース３６を介してローラ軸２２を支点に点線で示すように持ち上げた状態の接地輪８に対し、非接地姿勢に切り換えた接地輪ホルダ４０のフック部４０ａを係合させると、接地輪８を非接地状態に保持して路上走行を好適に行うことができる。
【００２４】
ハンドル９は、その前端部（基端部）が走行機体１の前後方向中央部分から後方斜め上方に突設されたハンドルフレーム４２に取付固定されている。このハンドル９は、平面視２本の棒状部材が後方に向かって互いに離間するように広がるグリップを形成し、側面視後方に向かって斜め上方に延設されている。
これにより作業者は、ハンドル９の左右のグリップを把持して操向操作を行う一方、ハンドル９を走行輪１３を支点に上方に揺動させることにより、走行機体１の後部を持ち上げてロータリ６及び畝立器７を圃場面から離間させながら走行旋回をスムーズに行うことができる。
【００２５】
また図示例の施肥作業機は主フレーム１１の前部に側面視で逆コ字状のヒッチ部４５を一体的に設けており、該ヒッチ部４５の上辺に取付片４６を前方に向けて延長させて取付け、取付片４６の先端部に前記横フレーム１４を設けている。またヒッチ部４５内にはバランスウェイト４７を取付けている。
この構成により走行機体１の前部に設置されるヒッチ部４５を介して、横フレーム１４並びに該横フレーム１４に取付ける散布部４ａや接地輪８及び関連フレームを、走行機体１より前部に集約させて設け、走行輪１３の後部に配置されるロータリ６及び畝立器７等の作業部との重量バランスを適正にしている。これによりヒッチ部４５に設けるバランスウェイト４７を大型にすることなく、走行に支障を生じない大きさ及び小型形状のものにすることができる。また横フレーム１４は肉厚な角パイプにすることができ、バランスウェイト４７をより小型化することができる。
【００２６】
以上のように構成される歩行型施肥作業機は、左右の走行輪１３を有する走行機体１の後方に複数の耕耘爪を回転させて圃場を耕耘するロータリ６と、ロータリ６の後方に畝を形成する畝成形部３２を複数有する畝立器７を備える共に、畝成形部３２の前方に各別に配置されて前記ロータリ６による耕耘前の圃場に肥料を散布する肥料タンク２及び肥料供給装置３を有する散布部４ａを備え、該散布部４ａの肥料供給装置３を圃場面に転接させる接地輪８から駆動して肥料散布をする構成により、前進走行に伴い施肥パイプ４から圃場に肥料を散布し、肥料が散布された圃場の土をロータリ６で耕耘し肥料と耕耘土を攪拌させていく。そして、ロータリ６は走行に伴って描かれる肥料散布軌跡側に耕耘土を盛り、盛られた耕耘土の左右の各側部を畝立器７の対応する成形板３０で押圧して斜面を形成して畝を成形する。
【００２７】
上記のように形成される各畝は適度に肥料が混合された耕耘土により構成される。この畝に作物を植えて栽培することにより、作物の株元付近にのみ肥料を施肥することが可能になるため、施肥作業で使用する肥料の量を減らすことができる他、肥料を耕耘土と混合された状態で用いるため、作物の株元にノズル等で直接的に肥料を施肥するものと比較して作物の肥料障害が抑制される。くわえて、肥料が施肥された畝を２つ同時に成形していくため、作業の省力化を図ることができる他、歩行型の施肥作業機であるため、旋回時に必要な枕地を狭くすることができる。
【００２８】
また歩行型施肥作業機は、走行機体１の最前部に横フレーム１４を設け、該横フレーム１４に左右の散布部４ａを振り分けて支持すると共に、互いの肥料供給装置３を接地輪８によって回転駆動される繰出軸２２で連結するので、従来のもののように走行機体１の左右に接地輪８を設けることなく、単一の接地輪８によって左右の肥料供給装置３を簡潔で廉価な構造によって安定的に駆動することができ、全体構造をより簡素化し製造コストを低く抑えることが可能になる。
【００２９】
また走行機体１の前部に集約して設置される横フレーム１４並びに散布部４ａや接地輪８及び関連フレームと、後部に配置されるロータリ６及び畝立器７等の作業部との重量バランスを適正にとることができるので、ヒッチ部４５に設けるバランスウェイト４７を大型化することなく、機体の軽量化と走行バランスを改善し機体の走行作業及び旋回走行を行い易くすることができる。
さらに、接地輪８の接地部を一方の走行輪１３の接地部と近接させているので、ハンドル９を持ち上げて機体を旋回走行させる際に、接地輪８が旋回時に大きな抵抗となることなくスムーズな機体旋回を行うことができる等の特徴がある。
【００３０】
また横フレーム１４側に設けた接地輪ホルダ４０によって、接地輪８を接地姿勢から上方に持ち上げた非接地姿勢に切り換え自在に保持することができるので、接地輪８を接地姿勢から上方に持ち上げ非接地姿勢にした状態で、接地輪８を簡単な構成によって横フレーム１４側に確実に保持することができ路上走行を好適に行うことができる。
【００３１】
また歩行型施肥作業機は、ツールバー２９の支持構造及びツールバー２９に対する左右の畝立器７の支持構造により、畝立器７が上下及び左右に位置調整可能且つ成形する畝の横幅も変更可能に構成し、且つ横フレーム１４に対し散布部４ａ及び施肥ガイド２１並びに接地輪８等も左右に位置調整可能にしているので、様々な圃場状態に対応可能になるため、施肥作業機の汎用性が向上する。
【図面の簡単な説明】
【００３２】
【図１】本発明を適用した歩行型施肥作業機の側面図である。
【図２】図１の平面図である。
【符号の説明】
【００３３】
１    走行機体（機体）
３    肥料供給装置（肥料供給部）
４    施肥パイプ
４ａ  散布部
６    ロータリ
７    畝立器
８    接地輪
９    ハンドル（操向操作部）
１３  走行輪（走行部、無限軌道体、車輪）
１４  横フレーム
２２  繰出軸
３２  畝成形部
４０  接地輪ホルダ
【図１】
2009240170.tif 000003
【図２】
2009240170.tif 000004